(57)【特許請求の範囲】
【請求項１】
少なくとも磁気ギャップを有する磁気回路と、この磁気回路の上部に装着され外周に筒状のカバーを形成し上記カバーの側面部に外部からの電気信号用端子を設けたコネクターを装着したフレームと、上記磁気ギャップにコイル部が挿入されこのコイル部とコネクターの間を電気的に結合するための金糸線を併せ持つボイスコイルと、このボイスコイルに内周が結合されると共に上記フレームの周縁部を結合された振動板と、この振動板の下方で内周が上記ボイスコイルに結合し最外周が上記フレームに結合されるとともにコルゲーションの最外周部に上記ボイスコイルの金糸線の中間部が結合されたダンパーとで構成したスピーカであって、上記コルゲーション部に金糸線の中間部を固定するための複数個の溝を設けると共に、これら複数個の溝の夫々の両端開口の少なくとも一方の開口部を中心部より水平方向に大きくしたスピーカ。
【発明の詳細な説明】
【０００１】
【発明の属する技術分野】
本発明は各種音響機器に使用されるスピーカに関するものである。
【０００２】
【従来の技術】
従来、自動車のドアなどに取り付けられるスピーカでは雨水などが直接スピーカの振動板にかかるのを防ぐためにフレームの外周に筒状のカバーを備えたものが多く、外部と電気的に接続を行うコネクターも必然的にカバーの側面に配置され、そのコネクターとボイスコイルとの距離が大きいため中間にて中継端子なるもので電気的接続の中継を行っていた。
【０００３】
ここで、上記従来のスピーカについて図６の半断面図により説明する。
【０００４】
同図によると、５はボトムプレート１とマグネット２、トッププレート３によって磁気ギャップ４を構成する磁気回路である。この磁気回路５の上部にはフレーム６が結合され、フレーム６の外周にはカバー６ａが形成されカバー６ａの側面にはコネクター７が装着されている。８は磁気ギャップ４に挿入されたコイル部８ａを備えたボイスコイル、９はコーン状の振動板、１０はダストキャップ、１１はコイル部８ａの端部と電気的に結合された金糸線、１９はボイスコイル８を支持するダンパー、２０はこの金糸線１１とコネクター７とを電気的に中継するための中継端子である。
【０００５】
【発明が解決しようとする課題】
しかしながら、上述のスピーカはフレーム６の外周に筒状のカバー６ａを形成しており、外部と電気的接続を行うコネクター７がカバー６ａの側面に形成されているため、ボイスコイル８とコネクター７との距離が長くなっている。このような構造では金糸線１１をボイスコイル８から直接コネクター７まで形成させると金糸線１１が長いものとなり振幅時に振動板９やダンパー１９に接触し異常音を発生するという問題があるため、ボイスコイル８とコネクター７との中間に中継端子２０を形成させて金糸線１１を適度な長さに抑える必要が有った。
【０００６】
このため中継端子２０が必要なばかりでなく、中継端子２０と金糸線１１との電気的な結合作業及び中継端子２０をフレーム６との結合工程も必要となり製造コストも多くかかるという課題を有していた。
【０００７】
本発明は上記課題を解決するもので、中継端子のような部品を必要とせず、作業製造工程も簡素化することができるため、より廉価なスピーカを提供をすることを目的とするものである。
【０００８】
【課題を解決するための手段】
上記課題を解決するために本願発明のスピーカは、磁気回路と、この磁気回路の上部に装着され外周に筒状のカバーを形成しそのカバーの側面に外部からの電気信号用端子を設けたコネクターを装着したフレームと、上記磁気ギャップにコイル部が挿入されこのコイル部とコネクターの間を電気的に結合するための金糸線を併せ持つボイスコイルと、このボイスコイルに内周が結合されると共に上記フレームの周縁部を結合された振動板と、この振動板の下方で内周が上記ボイスコイルに結合し最外周が上記フレームに結合されるとともにコルゲーションの最外周部に上記ボイスコイルの金糸線の中間部が結合されたダンパーとで構成したものとしてダンパーの外周付近とボイスコイルの間で金糸線の長さを適切に形成するようにして、ボイスコイルが大きく振動した場合でも金糸線と振動板やダンパーと接触することもなく、中継端子そのものやその機械的及び電気的な結合作業をも省略できる安価なスピーカを提供できるものとするとともに、上記コルゲーションの最外周に金糸線の中間部を固定するための複数個の溝を設け、これら複数個の溝の夫々の両端開口の少なくとも一方の開口部を中心部より水平方向に大きくしたことで、上記溝によってダンパーへの金糸線の位置決めを容易にして結合作業をし易くした上で、更に、金糸線の結合方向を水平方向に角度を調整することができ、より作業性の向上が図れるものである。
【０００９】
【発明の実施の形態】
本発明の請求項１に記載の発明は、磁気回路と、この磁気回路の上部に装着され外周に筒状のカバーを形成しそのカバーの側面に外部からの電気信号用端子を設けたコネクターを装着したフレームと、上記磁気ギャップにコイル部が挿入されこのコイル部とコネクターの間を電気的に結合するための金糸線を併せ持つボイスコイルと、このボイスコイルに内周が結合されると共に上記フレームの周縁部を結合された振動板と、この振動板の下方で内周が上記ボイスコイルに結合し最外周が上記フレームに結合されるとともにコルゲーションの最外周部に上記ボイスコイルの金糸線の中間部が結合されたダンパーとで構成したものであり、ダンパーの外周付近とボイスコイルの間で金糸線の長さを適切に調整できるため、ボイスコイルが大きく振動した場合でも金糸線と振動板やダンパーと接触することもなく、中継端子そのものやその機械的及び電気的な結合作業をも省略できる安価なスピーカの提供を可能とし、併せて上記コルゲーションの最外周に金糸線の中間部を固定するための複数個の溝を設け、これら複数個の溝の夫々の両端開口の少なくとも一方の開口部を中心部より水平方向に大きくしたことで、上記溝によってダンパーへの金糸線の位置決めを容易にして結合作業をし易くした上で、更に、金糸線の結合方向を水平方向に角度を調整することができ、より作業性の向上が図れるものである。
【００１４】
以下、本発明の一実施の形態について図１から図５により説明する。なお、従来の技術と同一部分は同一番号を付与し説明を省略して説明する。
【００１５】
（実施の形態１）
図１は本発明のスピーカの一実施の形態の半断面図である。
【００１６】
同図によると、金糸線１１はボイスコイル８とコネクター７とを電気的に中継させているが、ダンパー１２の最外周コルゲーション部１２ａにて中間部分を結合し、この金糸線１１の長さはダンパー１２の最外周コルゲーション部１２ａとボイスコイル８との間にてボイスコイル８が大きく振幅しても、突っ張らないように且つダンパー１２の内周側コルゲーション１２ｂや振動板９に接触して異常音を発生しないように適度な長さに調整されている。
【００１７】
以上のように構成されたスピーカでは中継端子なる部品を省略できるばかりでなく、中継端子とコネクターとの電気的結合などの製造工程も省略でき、従来技術に比べコスト的により安価なスピーカを提供できるものである。
【００１８】
なお、最外周コルゲーション１２ａまたはその近傍に結合部を設けることによって最外周がフレーム６と結合されているので、この結合部における上下動は小さくなり、金糸線１１の振幅を小さくできる（最外周のコルゲーション部への結合が最も良い。）。
【００１９】
（実施の形態２）
図２は本発明のスピーカの他の実施の形態の半断面図である。
【００２０】
同図によると、実施の形態１との相違点はダンパーの形状であり、ダンパー１３の最外周コルゲーション１３ａを内周側コルゲーション１３ｂよりも上方に突出させている点である。金糸線１１との結合部分をダンパー１３の内周側コルゲーション１３ｂよりも上方に位置させることにより、内周側コルゲーション１３ｂと金糸線１１との間隔がとれボイスコイル８が大きく振幅した場合にでも両者が接触して異常音を発生するのを防ぐことができ、信頼性を向上させることができるものである。
【００２１】
（実施の形態３）
図３は本発明のスピーカの他の実施の形態の要部であるダンパー及び金糸線の斜視図である。同図によると、実施の形態２との相違点は、高くした最外周コルゲーション部１３ａ上に溝１４を設け金糸線１１と結合させている点であり、金糸線１１の位置決めが正確にでき、製造的に作業し易くなるため性能の安定性を向上させるものである。
【００２２】
（実施の形態４）
図４は本発明のスピーカの他の実施の形態の要部であるダンパーの上面図である。同図によると、実施の形態３との相違点は、最外周コルゲーション１５ａ上に溝１６を複数個等間隔に配置した点であり、金糸線１１のダンパー１５上での位置決めを容易に作業し易くし、作業性の向上を図ったものである。
【００２３】
（実施の形態５）
図５（ａ），（ｂ）は本発明のスピーカの他の実施の形態の要部であるダンパーの溝１７の拡大上面図で、同図によると、実施の形態４との相違点は、溝１７の形状であり、溝１７の両端にある開口部１７ａがその中央部１７ｂよりも水平方向に広がっているため金糸線１１は中央部１７ｂで位置決めが正確に行われるとともに水平方向に角度を調整することができ、上記実施の形態の４のように複数個ある場合でも、いずれの溝１７で金糸線１１と結合させても同じように作業ができるため性能と作業性を向上させるものである。又、図５（ｂ）は片側のみ広がっている溝１８を示しているが、図５（ａ）と同様の効果を有するものである。
【００２４】
【発明の効果】
以上のように本発明のスピーカは、金糸線の一部をダンパーに結合させる構造とすることにより、中継端子そのものや、その機械的及び電気的な結合作業を省略でき、性能・信頼性の安定性を向上させるものである。
【図面の簡単な説明】
【図１】本発明のスピーカの一実施の形態の半断面図
【図２】同他の実施の形態の半断面図
【図３】同他の実施の形態の要部であるダンパーとボイスコイルと金糸線の斜視図
【図４】同他の実施の形態の要部であるダンパーの上面図
【図５】（ａ）同他の実施の形態の要部であるダンパーの溝の拡大上面図
（ｂ）同他の実施の形態の要部であるダンパーの溝の拡大上面図
【図６】従来のスピーカの半断面図
【符号の説明】
１  ボトムプレート
２  マグネット
３  トッププレート
４  磁気ギャップ
５  磁気回路
６  フレーム
６ａ  カバー
７  コネクター
８  ボイスコイル
８ａ  コイル部
９  振動板
１１  金糸線
１２  ダンパー
１２ａ，１３ａ，１５ａ  最外周コルゲーション部
１２ｂ  内周側コルゲーション
１４，１６，１７，１８  溝
１７ａ  開口部
１７ｂ  中央部
【図１】
0004178704.tif 000002
【図２】
0004178704.tif 000003
【図３】
0004178704.tif 000004
【図４】
0004178704.tif 000005
【図５】
0004178704.tif 000006
【図６】
0004178704.tif 000007